(57)【要約】【課題】貯留された雨水の水質を確認できるとともに、目的に応じて適量の雨水を取り出して使用することのできる雨水貯水装置を提供する。【解決手段】貯水槽１と受水容器４とからなる雨水貯水装置であって、該貯水槽１はその天面１１に竪樋５を接続する竪樋接続部２が設けられ、その側面には上記貯水槽１に貯留された雨水を取り出すための貯留水排出弁３が設けられるとともに、この貯留水排出弁３の下方には上記受水容器４が貯水槽１に着脱自在に装着されてなる雨水貯水装置Ａ。【選択図】図４
2008196285.tif 000002
【特許請求の範囲】
【請求項１】
貯水槽と受水容器とからなる雨水貯水装置であって、該貯水槽はその天面に竪樋を接続する竪樋接続部が設けられ、その側面には上記貯水槽に貯留された雨水を取り出すための貯留水排出弁が設けられるとともに、この貯留水排出弁の下方には上記受水容器が貯水槽に着脱自在に装着されてなる雨水貯水装置。
【請求項２】
上記貯水槽は円筒体から構成され、上記受水容器は該貯水槽の円周面に沿って湾曲する取付け部とこの取付け部に付設される平面視略半円形状の受水部とからなる請求項１に記載の雨水貯水装置。
【請求項３】
上記貯水槽の側面下部には係止部が設けられ、この係止部に上記受水容器の取付け部裏面内周面に付設された係合部が着脱自在に係合する請求項１に記載の雨水貯水装置。
【発明の詳細な説明】
【技術分野】
【０００１】
本発明は、雨水を利用するための装置に関する。さらに詳しくは、一戸建て住宅や中高層の集合住宅の竪樋に接続され、雨水を貯留するとともに、雨水を再利用するために用いられる雨水貯水装置に関する。
【背景技術】
【０００２】
近年、生活水準の向上に伴って水に対する需要が高まっている。一方、水資源も他の天然資源と同様に、その枯渇が社会問題となりつつあり、生活排水を簡易浄水して再利用する中水道の普及や雨水を飲用以外の用途へ利用することの重要性が増している。そこで、大規模な建物を新築する際に、今まで排水溝に直接排出されていた雨水を地下タンクに蓄えておき、この雨水をトイレ用、冷暖房用、掃除用等に再利用する試みがなされている。
【０００３】
一方、一般家庭における雨水の再利用についても種々の提案がなされ、例えば下記特許文献１には、本願図５に示すように、屋根の雨水を集水して下方に導く竪樋５と、竪樋５に接続された雨水貯留水槽６と、この雨水貯留水槽６の上部に接続され、かつ、雨水貯留水槽６が満杯になった時に、雨水貯留水槽６内の雨水を排水する越流管７とを有する雨水取水装置Ｂが開示されている。
【特許文献１】特開平８−８５９８２号公報（第１〜３頁、第１図、第２図）
【発明の開示】
【発明が解決しようとする課題】
【０００４】
上記公知技術における雨水取水装置は竪樋からの雨水を貯留し、必要に応じて庭への散水や、洗車等に利用されるものであり、雨水貯留水槽が満杯となったとき、オーバーフローした雨水は越水管を介して排水溝に排水される構造となっている。しかしながら、長期間、貯留水を利用しない場合、貯留された水が汚れたり、腐敗するおそれがあり、貯留水の水質を確認しないまま上記用途に使用しなければならないという問題がある。
【０００５】
本発明は、このような問題を解決して、貯留された雨水の水質を確認できるとともに、目的に応じて適量の雨水を取り出して使用することのできる雨水貯水装置を提供することを、その課題とする。
【課題を解決するための手段】
【０００６】
上記課題を解決するために、本発明においては、つぎのような技術的手段を講じている。すなわち、請求項１に記載の発明によれば貯水槽と受水容器とからなる雨水貯水装置であって、該貯水槽はその天面に竪樋を接続する竪樋接続部が設けられ、その側面には上記貯水槽に貯留された雨水を取り出すための貯留水排出弁が設けられるとともに、この貯留水排出弁の下方には上記受水容器が貯水槽に着脱自在に装着されてなる雨水貯水装置が提供される。
【０００７】
上記貯水槽の形状は円筒形、断面多角形等、種々の形状のもが用いられる。材質としては、とくに限定されるものではなく、合成樹脂製、金属製のものがあげられるが、雨水に侵されにくい合成樹脂製の貯水槽が好ましく用いられる。また、竪樋としては一戸建て住宅をはじめ、中高層の集合住宅に設けられたもの等、幅広く適用可能である。
【０００８】
請求項２に記載の雨水貯水装置は、請求項１に記載の発明に加えて、上記貯水槽は円筒体からなり、上記受水容器は該貯水槽の円周面に沿って湾曲する取付け部とこの取付け部に付設される平面視略半円形状の受水部とから構成される。
【０００９】
請求項３に記載の雨水貯水装置は、請求項１に記載の発明に加えて、上記貯水槽の側面下部には係止部が設けられ、この係止部に上記受水容器の取付け部裏面内周面に付設された係合部が着脱自在に係合される。
【発明の効果】
【００１０】
請求項１に記載の発明にかかる雨水貯水装置は上記のとおりであり、天面に竪樋を接続する竪樋接続部が設けられた貯水槽と受水容器とからなり、上記貯水槽の側面には貯留された雨水を取り出すための貯留水排出弁が設けられているため、貯留水の一部を取り出し、汚れや腐敗がないか等、水質の確認を容易に行うことができる。
【００１１】
汚れや腐敗がなく、水質に問題がない場合は、貯留水を受水容器に取出し、洗車や家の外回りの洗浄、雑巾掛け等の清掃作業に利用することができる。また、貯留水が汚れている場合は、園芸用の散水、庭への打ち水等、水質を問題としない用途に幅広く利用することができる。
【００１２】
請求項２に記載の雨水貯水装置は上記のとおりであり、請求項１の雨水貯水装置の有する効果に加え、上記貯水槽が円筒体とされているため、プラスチック板、金属板等を加工して容易に製作することができる。また、上記受水容器が貯水槽の円周面に沿って湾曲する取付け部とこの取付け部に付設される平面視略半円形状の受水部とからなるため、貯水槽の外周に沿ってデザイン性よく着脱自在に納められる。
【００１３】
請求項３に記載の雨水貯水装置は上記のとおりであり、請求項１の雨水貯水装置の有する効果に加え、上記貯水槽の側面下部には係止部が設けられ、この係止部に上記受水容器の取付け部裏面内周面に付設された係合部が着脱自在に係合するため、上記係合を解除して受水容器を取り外し、バケツ等と同様に用いて洗車、園芸用の散水、庭への打ち水等を行うことができる。
【発明を実施するための最良の形態】
【００１４】
以下、本発明の実施形態について図面を参照して詳細に説明する。図１は本発明の雨水貯水装置にかかる貯水槽１を示す斜視図であり、図２は上記貯水槽１に着脱自在に装着される受水容器４を示す斜視図である。図２に示されているように、上記受水容器４は取付け部４１とこの取付け部に付設される平面視略半円形状の受水部４２とから構成される。
【００１５】
図１に示すように、円筒体からなる貯水槽１はその天面１１に竪樋（図４参照）を接続する竪樋接続部２が設けられ、その側面には貯留された雨水を取り出すための貯留水排出弁３が設けられている。また、貯水槽１の側面下部には２つの係止部１２が設けられ、この係止部１２に、図２に示す受水容器４の取付け部４１の裏面内周面に付設された係合部４１１が着脱自在に係合される。
【００１６】
図３は、上記係合部４１１を係止部１２に係合した状態を示す部分側断面図である。図４は、貯水槽１と受水容器４とからなる本発明にかかる雨水貯水装置Ａを示す斜視図である。図４に示されているように、貯水槽１の天面１１に設けられた竪樋接続部２には竪樋５が接続され、図外軒樋から竪樋５を流下した雨水は上記貯水槽１に貯留される。
【００１７】
図４においては、図３に示すように係合部４１１と係止部１２とは係合した状態であり、貯水槽１に貯留された雨水の一部を取り出して使用するとき、上記係合部４１１と係止部１２との係合を外し、受水容器４を独立して使用する。すなわち、貯留水排出弁３を開いて受水容器４に必要量の貯留水を取り出し、例えば、洗車、園芸用の散水、庭への打ち水等に使用する。なお、上記実施形態においては、２個の係止部１２を設けた場合について述べたが、２個のみならず３個としてもよい。また、１個の係止部１２を横長に延設してもよい。
【００１８】
さらに、激しい雨が続き、貯水槽１の貯水能力を越える雨水が竪樋５から流入する場合に備えて本発明においても貯水槽１の上部にオーバーフロー管を設け、オーバーフローした雨水を排水溝に排出させることも可能である。このように本発明は種々設計変更自在であり、特許請求の範囲を逸脱しない限り、本発明の技術的範囲に属する。
【図面の簡単な説明】
【００１９】
【図１】本発明の雨水貯水装置にかかる貯水槽を示す斜視図である。
【図２】上記貯水槽に着脱自在に装着される受水容器を示す斜視図である。
【図３】受水容器の取付け部裏面内周面に付設された係合部を貯水槽の側面下部に設けられた係止部に係合した状態を示す部分側断面図である。
【図４】本発明にかかる雨水貯水装置を示す斜視図である。
【図５】公知の雨水取水装置を示す側面図である。
【符号の説明】
【００２０】
Ａ          本発明にかかる雨水貯水装置
Ｂ          公知の雨水取水装置
１          貯水槽
１１        天面
１２        係止部
２          竪樋接続部
３          貯留水排出弁
４          受水容器
４１        取付け部
４１１      係合部
４２        受水部
５          竪樋
６          公知の雨水貯留水槽
７          公知の越流管
【図１】
2008196285.tif 000003
【図２】
2008196285.tif 000004
【図３】
2008196285.tif 000005
【図４】
2008196285.tif 000006
【図５】
2008196285.tif 000007